(57)【要約】【課題】  プレイリストに登録しておいた楽曲を、自動車の走行状況にかかわらず、指定した地点で再生する。【解決手段】  プレイリストおよびこのプレイリストに登録されているコンテンツを保存しているストレージ２２と、プレイリストからこれに指定されている地点あるいは時点におけるコンテンツの再生状況を読み出す読み出し手段１０とを設ける。これまでの移動状況からプレイリストに指定されている地点あるいは時点におけるコンテンツの再生状況を予測する予測手段１０を設ける。読み出し手段１０の読み出し値と、予測手段１０の予測値とのずれを検出し、この検出結果にしたがって、コンテンツの再生時間を動的に変更する。【選択図】  図５
2008310861.tif 000002
【特許請求の範囲】
【請求項１】
プレイリストに登録されているコンテンツを移動しながら再生する場合に、そのコンテンツを再生すべき地点あるいは時点が上記プレイリストに指定されている再生装置であって、
上記プレイリストおよびこのプレイリストに登録されているコンテンツを保存しているストレージと、
上記プレイリストからこれに指定されている上記地点あるいは時点における上記コンテンツの再生状況を読み出す読み出し手段と、
これまでの移動状況から上記プレイリストに指定されている上記地点あるいは時点における上記コンテンツの再生状況を予測する予測手段と
を有し、
上記読み出し手段の読み出し値と、上記予測手段の予測値とのずれを検出し、
この検出結果にしたがって、上記コンテンツの再生時間を動的に変更する
ようにした再生装置。
【請求項２】
プレイリストに登録されているコンテンツを移動しながら再生する場合に、そのコンテンツの再生すべき地点あるいは時点が上記プレイリストに指定されている場合であって、
上記プレイリストからこれに指定されている上記地点あるいは時点における上記コンテンツの再生状況を読み出すとともに、
これまでの移動状況から上記プレイリストに指定されている上記地点あるいは時点における上記コンテンツの再生状況を予測し、
上記読み出した再生状況と、上記予測した再生状況とのずれを検出し、
この検出結果にしたがって、上記コンテンツの再生時間を動的に変更する
ようにした再生方法。
【請求項３】
プレイリストに登録されている楽曲を移動しながら再生する場合に、その楽曲を再生すべき地点あるいは時点が上記プレイリストに指定されている再生装置であって、
上記プレイリストおよびこのプレイリストに登録されている楽曲を保存しているストレージと、
上記プレイリストからこれに指定されている上記地点あるいは時点における上記楽曲の再生状況を読み出す読み出し手段と、
これまでの移動状況から上記プレイリストに指定されている上記地点あるいは時点における上記楽曲の再生状況を予測する予測手段と、
を有し、
上記読み出し手段の読み出し値と、上記予測手段の予測値とのずれを検出し、
この検出結果が楽曲の１曲分を越えるときには、再生すべき楽曲の数を増減し、
上記検出結果が上記１曲分に満たないときには、再生する楽曲の長さを所定の長さだけ変更し、
上記検出結果が上記所定の長さに満たないときには、フェードインあるいはフェードアウトにより再生する楽曲の長さを変更する
ようにした再生装置。
【発明の詳細な説明】
【技術分野】
【０００１】
この発明は、再生装置および再生方法に関する。
【背景技術】
【０００２】
自動車で長距離のドライブをする場合、カーオーディオによりＢＧＭを流すことが多い。そのような場合、プレイリストを用意すれば、これに登録されている楽曲を再生しながらドライブすることができる。
【０００３】
図８Ａは、そのようなプレイリストの一例を模式的に示すもので、このプレイリストにおいては、出発地点ＰSから到着地点ＰEまでドライブするとき、ユーザの指定した楽曲Ａ〜Ｆが再生されるように設定した場合である。
【０００４】
なお、地点Ｐ1〜Ｐ5は、途中の通過地点で、地点Ｐ1は、それまで再生されていた楽曲Ａが終了し、次の楽曲Ｂの再生が開始される地点である。同様に、地点Ｐ2〜Ｐ5もそれまで再生されていた楽曲が終了し、次の楽曲の再生が開始される地点である。
【０００５】
ただし、このプレイリストにおいては、地点Ｐ3は景色がよいなどの理由でユーザ（運転者や同乗者）にとって特別な地点であり、この地点Ｐ3を通過するときには、その地点Ｐ3にふさわしい楽曲Ｄの再生が開始されるように（あるいは、地点Ｐ3を通過中に楽曲Ｄの再生中であるように）それまでに再生される楽曲Ａ〜Ｃが選択されている場合である。
【０００６】
すなわち、地点Ｐ3を通過するときに、楽曲Ｄの再生が開始されるように、それまでに再生される楽曲の長さを選択した結果が、楽曲Ａ〜Ｃである。なお、以下、地点Ｐ3のように、特定の楽曲の再生を開始したい地点（あるいは特定の楽曲を再生しながら通過したい地点）を「マーク地点」と呼ぶ。
【０００７】
これに対し、地点Ｐ1、Ｐ2、Ｐ4、Ｐ5は、単に楽曲が切り換わる地点であり、したがって、その楽曲の切り換わりが、地点Ｐ1、Ｐ2、Ｐ4、Ｐ5から多少ずれても問題はない。
【０００８】
したがって、出発するとき、プレイリスト（図８Ａ）により楽曲の再生を開始すれば、走行につれて楽曲Ａ〜Ｆが順に再生されていくとともに、マーク地点Ｐ3を通過するときには、楽曲Ｄを再生することができ、楽しくドライブをすることができる。
【０００９】
なお、ユーザが所有している楽曲の一覧と連動して、地図上の出発地点ＰSと到着地点ＰEとを指定すると、プレイリストを作成するサービスも、Ｗｅｂ上に存在する。
【００１０】
先行技術文献として例えば以下のものがある。
【特許文献１】特開２００５−０５０５４８号公報
【特許文献２】特開２００６−２６２２５４号公報
【発明の開示】
【発明が解決しようとする課題】
【００１１】
ところが、図８Ａに示すようなプレイリストを作成しても、実際にドライブをすると、そのときの道路状況や運転状態などにより、図８Ａのプレイリストが不適切になることがある。図８ＢおよびＣは、そのような場合の例を示す。
【００１２】
すなわち、図８Ｂは、出発地点ＰSから地点Ｐ1までは、予定どおりの速度で走行したが、地点Ｐ1から道路状況に恵まれ、マーク地点Ｐ3を予定の時刻よりも速く通過した場合である。したがって、区間ＰS〜Ｐ1では、楽曲Ａが予定どおり再生され、地点Ｐ1を通過したとき、楽曲Ｂの再生が開始されるが、マーク地点Ｐ3は予定の時刻よりも速く通過したので、楽曲Ｃはまだ終了していない状態にある。しかし、プレイリストにはマーク地点Ｐ3から楽曲Ｄを再生するように設定されている。
【００１３】
このため、マーク地点Ｐ3を通過するとき、楽曲Ｃの途中（点線部分）から楽曲Ｄの再生に切り換えられてしまう。つまり、マーク地点Ｐ3から楽曲Ｃが終了するまでの期間は、楽曲の再生が重複する区間ＰBとなってしまうので、マーク地点Ｐ3を通過するとき、楽曲Ｄの再生が開始されるが、このとき、楽曲Ｃは途中で再生が停止されてしまう。
【００１４】
また、図８Ｂにおいては、区間Ｐ4〜ＰEが渋滞などの理由により予定よりも遅く走行した場合でもある。この場合には、到着地点ＰEに到着する前に、楽曲Ｆが終了してしまい、以後、到着地点ＰEに到着するまでの期間は楽曲が再生されない無音区間ＰCとなってしまう。
【００１５】
さらに、図８Ｃにおいては、区間Ｐ1〜Ｐ3を予定よりも遅く走行した場合である。このため、マーク地点Ｐ3を通過する前に楽曲Ｃが終了してしまい、マーク地点Ｐ3を通過するとき、プレイリストにしたがって楽曲Ｄの再生が開始された場合である。したがって、この場合には、楽曲Ｃが終了してマーク地点Ｐ3を通過するまでの期間は、何も楽曲が再生されない無音区間ＰCとなってしまう。
【００１６】
また、図８Ｃにおいては、区間Ｐ4〜ＰEを予定よりも速く走行できた場合でもあり、この結果、到着地点ＰEに到着しても、楽曲Ｆが終了していない状態である。
【００１７】
一方、出発地点ＰSから到着地点ＰEまで予定どおりに走行できたとしても、ユーザが楽曲の再生を一時停止させたりすることもある。
【００１８】
このように、図８Ａに示すようにプレイリストを作成しても、そのプレイリストが十分に機能しないことがある。
【００１９】
この発明は、このような問題点を解決しようとするものである。
【課題を解決するための手段】
【００２０】
この発明においては、
プレイリストに登録されているコンテンツを移動しながら再生する場合に、そのコンテンツを再生すべき地点あるいは時点が上記プレイリストに指定されている再生装置であって、
上記プレイリストおよびこのプレイリストに登録されているコンテンツを保存しているストレージと、
上記プレイリストからこれに指定されている上記地点あるいは時点における上記コンテンツの再生状況を読み出す読み出し手段と、
これまでの移動状況から上記プレイリストに指定されている上記地点あるいは時点における上記コンテンツの再生状況を予測する予測手段と
を有し、
上記読み出し手段の読み出し値と、上記予測手段の予測値とのずれを検出し、
この検出結果にしたがって、上記コンテンツの再生時間を動的に変更する
ようにした再生装置
とするものである。
【発明の効果】
【００２１】
この発明によれば、道路状況などによりオリジナルプレイリストでは、楽曲を適切に再生できない場合でも、出発地点から到着地点まで適切に楽曲を再生することができるとともに、マーク地点ではあらかじめ指定しておいた楽曲を再生することができる。また、到着地点に着いたときには、楽曲をちょうど終了させることができる。
【発明を実施するための最良の形態】
【００２２】
以下の説明においては、コンテンツが楽曲であるとともに、移動体が自動車であり、自動車の走行距離に同期して楽曲を再生するようにした場合である。
【００２３】
〔１〕  この発明のアウトライン
この発明においては、
(1) プレイリストは、例えば図８Ａに示すように、標準的な状況の内容に形成する。なお、以下の説明においては、この標準的な状況に対応したプレイリストを「オリジナルプレイリスト」と呼ぶ。  
(2) 図８Ｂの区間Ｐ1〜Ｐ3および図８Ｃの区間Ｐ4〜ＰEは、それらの区間から見て楽曲Ｂ、ＣあるいはＥ、Ｆの演奏時間が長すぎる場合であるが、このような場合には、走行時、対応する楽曲Ｂ、ＣあるいはＥ、Ｆの再生時間をその区間に合わせて短くする。  
(3) 図８Ｂの区間Ｐ4〜ＰEおよび図８Ｃの区間Ｐ1〜Ｐ3は、それらの区間から見て楽曲Ｂ、ＣあるいはＥ、Ｆの演奏時間が短すぎる場合であるが、このような場合には、走行時、対応する楽曲Ｂ、ＣあるいはＥ、Ｆの再生時間をその区間に合わせて長くする。  
ようにしたものである。
【００２４】
また、上記(2)、(3)項のどちらの場合も、修正する再生時間として、
(A) かなり長い修正が必要がある。例えば楽曲１曲分以上（一般には、３分以上）の長さの修正を必要とする。  
(B) (A)項ほどではないが、次の(C)項よりも長い修正を必要とする。  
(C) 細かい長さの修正でよい。例えば数秒から十数秒の修正でよい。  
の３つに分けることができる。そして、これらを組み合わせることにより再生時間を適正値に動的に調整することができる。
【００２５】
したがって、このような調整を行えば、道路状況などにより図８Ａに示すオリジナルプレイリストでは、楽曲を適切に再生できない場合でも、出発地点ＰSから到着地点ＰEまで、適切に楽曲を再生することができる。
【００２６】
なお、マーク地点（上述では、地点Ｐ3）は複数を設定できるが、どのマーク地点でも処理内容は同じなので、以下の説明においては、１つのマーク地点Ｐ3で代表させる。また、図８Ｂの区間Ｐ1〜Ｐ3の状況と、図８Ｃの区間Ｐ4〜ＰEの状況は同じであり、図８Ｂの区間Ｐ4〜ＰEの状況と、図８Ｃの区間Ｐ1〜Ｐ3の状況も同じなので、以下の説明においては、区間Ｐ3〜ＰEは予定どおり走行できたものとする。
【００２７】
さらに、マーク地点で指定しておいた楽曲の再生を開始する代わりに、指定しておいた楽曲の再生中とする場合は、マーク地点の手前の地点で、指定しておいた楽曲の再生を開始することなるので、結果として、その手前の地点をマーク地点と見なせばよい。
【００２８】
〔２〕  かなり長い修正をする場合（上記(A)項の場合）
この場合には、楽曲単位で修正する。この楽曲単位の修正の結果、１曲分に満たない修正が必要になったときには、さらに、(B)項ないし(C)項で修正する。
【００２９】
〔２−１〕  再生時間を短くするとき
これは、上記(2)項の場合であり、例えば図８Ｂに示す区間Ｐ1〜Ｐ3における楽曲Ｂ、Ｃの場合が対応する。
【００３０】
この場合には、例えば図１Ｂに示すように（図１Ａは図８Ａと同じ）、マーク地点Ｐ3を通過する前に再生されるはずの楽曲は、楽曲Ｃなので、この楽曲Ｃがオリジナルプレイリストから削除される。さらに、削除する必要がある場合には、楽曲Ｃの前の楽曲Ｂが削除される。すなわち、図１Ｂの場合には、マーク地点Ｐ3を通過する前に再生されるはずの楽曲が、逆順に（後ろの楽曲から前の楽曲へと）削除される。
【００３１】
なお、図１Ｂに示すように、楽曲Ｃを削除した結果、無音区間ＰCを生じることがあるが、これは上記(3)項に対応するので、この(3)項に対処した処理を実行することもでき、あるいは重複区間ＰBを生じる楽曲を挿入し、後述の〔３〕を実行することもできる。
【００３２】
〔２−２〕  再生時間を長くするとき
これは、上記(3)項の場合であり、例えば図８Ｃに示す区間Ｐ1〜Ｐ3における楽曲Ｂ、Ｃの場合が対応する。
【００３３】
この場合には、例えば図１Ｃに示すように、楽曲Ｃが終了した地点から予備の楽曲Ｇが挿入されて再生される。この楽曲Ｇは、オリジナルプレイリストに含まれていないが、あらかじめ用意されているものであり、この楽曲Ｇは、楽曲Ｃが終了した地点からマーク地点Ｐ3までの区間におさまる長さの楽曲とされる。
【００３４】
なお、楽曲Ｇだけでは、不足の場合には、さらに別の楽曲が挿入される。したがって、楽曲Ｇ（あるいは、さらに挿入された楽曲）が終了したとき、自動車はマーク地点Ｐ3を通過することになる。
【００３５】
また、楽曲Ｇを挿入した結果、図８Ｂと同様の重複区間ＰBを生じるときには、これは上記(2)項に対応するので、この(2)項に対処した処理を実行することもでき、あるいは無音区間ＰCを生じる楽曲を挿入し、次の〔３〕を実行することもできる。
【００３６】
〔３〕  長い修正をする場合（上記(B)項の場合）
これは、(A)項および〔２〕における楽曲単位ほどの修正は必要としないが、やや長い修正に対応する場合である。また、(A)項および〔２〕における楽曲単位での修正を行った結果、必要になる修正のことの場合でもある。
【００３７】
〔３−１〕  再生時間を短くするとき
これは、上記(2)項の場合であり、例えば図８Ｂに示す区間Ｐ1〜Ｐ3における楽曲Ｂ、Ｃの場合が対応する。
【００３８】
〔３−１−１〕  短縮方法・その１
この例においては、オリジナルプレイリストの楽曲Ｃのメロディーパートをスキップする場合である。すなわち、図２Ａは図８Ａと同じであり、図２Ｂは楽曲Ｃのメロディーの一例を示すものである。そして、この場合には、図２Ｃに示すように、楽曲Ｃの第２回目のＢメロに続くサビと、Ｃメロに続くサビとをスキップした場合である。この場合、必要なら楽曲Ｂのメロディーパートもスキップすることもできる。
【００３９】
このスキップ処理は、楽曲Ｃの構成情報（Ａメロ、Ｂメロ、サビ、・・・）を解析した結果をあらかじめ用意しておいて実行してもよく、再生装置が楽曲Ｃを再生中にバックグラウンドで解析して実行してもよい。
【００４０】
〔３−１−２〕  短縮方法・その２
この例においては、例えば図２Ｄに示すように、楽曲Ｃの別バージョンＣS、つまり、標準の再生時間の楽曲Ｃより再生時間の短いショートバージョンの楽曲ＣSを用意しておき、これを楽曲Ｃにに代えて再生する。
【００４１】
このショートバージョンの楽曲ＣSとしては、例えばＣＤシングルに収納されているリミックスバージョンなどがあり、あるいはユーザ自身がリミックスやマッシュアップなどにより作成したものでもよい。また、ネットワークを通じて入手できる場合もある。
【００４２】
〔３−２〕  再生時間を長くするとき
これは、上記(3)項の場合であり、例えば図８Ｃに示す区間Ｐ1〜Ｐ3における楽曲Ｂ、Ｃの場合が対応する。
【００４３】
〔３−２−１〕  伸長方法・その１
この例においては、オリジナルプレイリストの楽曲Ｃのメロディーパートを伸長する場合である。すなわち、図３Ａは図８Ａと同じであり、図３Ｂはオリジナルプレイリストにおける楽曲Ｃのメロディーの一例を示すものである。そして、この場合には、図３Ｃに示すように、楽曲ＣのＡメロを間奏とＣメロとの間に挿入するとともに、サビを間奏の前に挿入した（繰り返した）場合である。この場合、必要なら楽曲Ｂにおいても同様の挿入をすることもできる。
【００４４】
この挿入処理は、楽曲Ｃの構成情報を解析した結果をあらかじめ用意しておいて実行してもよく、再生装置が楽曲Ｃを再生中にバックグラウンドで解析して実行してもよい。
【００４５】
〔３−２−２〕  伸長方法・その２
この例においては、例えば図３Ｃに示すように、楽曲Ｃの別バージョンＣL、つまり、標準の再生時間の楽曲Ｃより再生時間の長いロングバージョンの楽曲ＣLを用意しておき、これを楽曲Ｃにに代えて再生する。
【００４６】
このロングバージョンの楽曲ＣLとしては、ユーザ自身がリミックスやマッシュアップなどにより作成したものでもよく、ネットワークを通じて入手できる場合もある。
【００４７】
〔４〕  細かい長さの修正をする場合（上記(C)項の場合）
これは、オリジナルプレイリストや(A)、(B)項および〔２〕、〔３〕における修正を行った結果のプレイリストにおいて、例えば数秒から十数秒の修正をする場合である。
【００４８】
〔４−１〕  再生時間を短くするとき
これは、例えば図８Ｂに示す重複区間ＰBが対応する。この場合には、オリジナルプレイリストの楽曲Ｃのメロディーが例えば図４Ｂにより示されるとすれば（図４Ａは図８Ａと同じ）、図４Ｃ、Ｄに示すように、マーク地点Ｐ3で楽曲Ｃをフェードアウトさせるとともに、楽曲Ｄをスタートさせる。あるいは図示はしないが、マーク地点Ｐ3で楽曲Ｃ、Ｄをクロスフェードさせる。
【００４９】
〔４−２〕  再生時間を長くするとき
これは、例えば図８Ｃに示す無音区間ＰCが対応する。この場合には、例えば、〔３−２〕の処理により楽曲Ｃの再生時間を延長して無音区間ＰCをなくせばよい。この場合、楽曲Ｃの再生時間の延長結果が無音区間ＰCを越えるときには、〔４−１〕の処理を実行すればよい。
【００５０】
なお、一般にＣＤにおいては、あるトラックと次のトラックとの間に、３秒程度の無音区間があるので、例えば図８Ｃの無音区間ＰCが３秒以下のときには、何も処理をしないようにすることもできる。
【００５１】
〔５〕  まとめ
以上の処理を単独で、あるいは組み合わせて実行することにより、マーク地点Ｐ3を通過するとき、楽曲Ｄの再生を開始（あるいは再生中）することができる。また、到着地点ＰEに着いたときには、楽曲Ｆをちょうど終了させることができる。
【００５２】
〔６〕  再生装置の構成例
上述の再生処理を実現する場合、マーク地点Ｐ3に到達するまでは、図８Ｂの状況にあるのか（予定よりも速い）、図８Ｃの状況にあるのか（予定よりも遅い）は、不明である。したがって、自動車の走行中に、常に、マーク地点Ｐ3の通過時刻を予測するとともに、その予測時刻にあわせて楽曲の再生状況を上記〔２〕〜〔４〕にしたがって動的に変更することになる。そして、そのためには、現在の地点あるいは出発地点ＰSから現在の地点までの距離を知る必要がある。
【００５３】
以上のことから、この発明をカーオーディオ装置に適用した場合には、そのカーオーディオ装置を、例えば図５に示すように構成することができる。なお、この例においては、現在の地点を、カーナビゲーション装置、特にＧＰＳにより検出する場合である。
【００５４】
すなわち、図５において、符号１０は、この装置全体の動作を制御する制御回路を示し、この例においては、マイクロコンピュータにより構成されている。このマイクロコンピュータ１０は、各種のプログラムを実行するＣＰＵ１１と、それらのプログラムの書き込まれたＲＯＭ１２と、ワークエリア用のＲＡＭ１３と、各種のデータを保存しておくための不揮発性のメモリ１４とを有し、これらがシステムバス１９を通じて互いに接続されている。
【００５５】
さらに、システムバス１９には、外部機器との接続端子１５が通信インターフェイス回路１６を通じて接続されるとともに、各種の操作キー（操作スイッチ）１７がキーインターフェイス回路１８を通じて接続されている。
【００５６】
また、符号２０はオーディオ再生部を示す。この例においては、楽曲のデジタルオーディオデータをＣＤから取り込むとともに、ナビゲーション用の地図データをＤＶＤ−ＲＯＭから取り込む場合である。このため、ディスク（ＣＤおよびＤＶＤ−ＲＯＭ）４０の読み出しができるＣＤ・ＤＶＤドライブ装置２１がシステムバス１９に接続されている。
【００５７】
さらに、システムバス１９には、大容量のストレージとして、例えばハードディスク装置２２が接続され、このハードディスク装置２２には、楽曲Ａ〜Ｆを含む各種の楽曲のデジタルオーディオデータや後述するプレイリストなどが保存されている。また、システムバス１９には、ドライブ装置２１によりＣＤ４０から読み出されたデジタルオーディオデータのエラー訂正、エラー修整およびＤ／Ａ変換などの処理を行うオーディオ処理回路２３が接続されるとともに、この処理回路２３の出力オーディオ信号がスピーカ２４Ｌ、２４Ｒに供給される。
【００５８】
また、カーナビゲーション部３０が以下のように構成されている。すなわち、航法衛星、例えばＧＰＳ衛星からの電波が、ＧＰＳアンテナ３１により受信されるとともに、その受信信号がＧＰＳユニット（受信回路）３２に供給され、ＧＰＳユニット３２からは自分の位置などのデータが取り出され、このデータがマイクロコンピュータ１０に供給される。
【００５９】
さらに、自律航法ユニット、例えばジャイロ３３が設けられ、このジャイロ３３からは、自分の移動する方向のデータが取り出され、このデータがマイクロコンピュータ１０に供給される。さらに、自車の走行速度を検出する車速センサ３４が設けられ、その出力信号がマイクロコンピュータ１０に供給される。
【００６０】
また、システムバス１９には、ビデオコントローラ３５が接続され、このビデオコントローラ３５にビデオデータが供給されると、これはビデオ信号に変換され、ディスプレイ、例えばカラーＬＣＤパネル３６に供給される。
【００６１】
このような構成において、楽曲の再生を行う場合には、ディスク４０としてＣＤをドライブ装置２１にセットして、再生のキー操作を行う。すると、ドライブ装置２１によりＣＤ４０から楽曲のデジタルオーディオデータが読み出され、この読み出されたデジタルオーディオデータがオーディオ処理回路２３に供給されてアナログオーディオ信号が取り出され、この信号がスピーカ２４Ｌ、２４Ｒに供給されて楽曲の再生が行われる。
【００６２】
また、保存のキー操作をすると、ＣＤ４０から楽曲のデジタルオーディオデータが読み出されてハードディスク装置２２に保存される。この保存されたデジタルオーディオデータは、所定のキー操作により読み出されてオーディオ処理回路２３に供給される。したがって、ハードディスク装置２２に保存した楽曲を再生することができる。あるいはハードディスク装置２２に保存されている楽曲を対象にしてプレイリストを作成し、このプレイリストに基づいた再生を行うこともできる。
【００６３】
さらに、ナビゲーションを行う場合には、ディスク４０として地図データのＤＶＤ−ＲＯＭをドライブ装置２１にセットする。すると、ＧＰＳユニット３２、ジャイロ３３および車速センサ３４の出力信号がマイクロコンピュータ１０により処理されて自車位置が判別され、ＤＶＤ−ＲＯＭ４０からは自車位置を含む地図の地図データが読み出される。そして、この読み出された地図データがビデオコントローラ３５に供給され、この結果、ＬＣＤパネル３６には、自車位置付近を中心とする電子地図が表示されるとともに、その自車位置に自車を示す例えば逆Ｖ字型のマークが表示される。
【００６４】
なお、ＧＰＳユニット３２だけでも、自車位置をかなりの精度で判別することができるが、ＧＰＳ衛星からの電波は、ビルの陰やトンネルの中などでは受信できないことがあり、そのようなときには、自車位置の判別が不正確になったり、まったくできなくなったりしてしまう。
【００６５】
そこで、このナビゲーション装置には、ジャイロ３３および車速センサ３４が設けられ、これらによりＧＰＳ衛星からの電波を受信できないときでも、自車位置を判別できるようにされている。
【００６６】
一方、自動車の走行につれてプレイリストに登録されている楽曲を再生する場合には、ＧＰＳユニット３２、ジャイロ３３および車速センサ３４の出力信号により自動車の走行位置が判別され、この判別結果により、現在の楽曲の再生状況（再生時間）と、オリジナルプレイリストにおける楽曲の再生状況とのずれが検出され、この検出結果に基づいてリアルタイムで上述の〔２〕〜〔４〕の処理が動的に実行される。
【００６７】
したがって、マーク地点Ｐ3を通過するときには、楽曲Ｃの再生が開始され（あるいは再生中とされ）、到着地点ＰEに着いたときには、楽曲Ｆがちょうど終了する。
【００６８】
こうして、図５のシステムによれば、自動車の走行状況にかかわらずプレイリストにしたがって適切に楽曲を再生することができる。
【００６９】
〔７〕  プレイリストの例
図６Ａは、上述の再生方法の実現に適したプレイリストの一例を示す。すなわち、このプレイリストは、図１Ａ〜図４Ａに対応する場合で、地点ＰS、Ｐ1〜Ｐ5、ＰEと、これらの地点で再生を開始する楽曲Ａ〜Ｆと、その楽曲の再生時間（演奏時間）ＴA〜ＴFとの対応関係を示している。例えば、地点Ｐ3では、楽曲Ｄの再生を開始するが、その再生時間は時間ＴDである。また、地点ＰEは、到着地点であって楽曲の再生は行わないので、対応する楽曲は登録されていない。
【００７０】
また、図６Ｂは、図１Ｃの区間Ｐ2〜Ｐ3の場合のように、挿入される楽曲のリストであり、これは、再生時間と楽曲との対応関係を示している。
【００７１】
なお、このプレイリストおよび挿入曲のリストは、例えば、ユーザが外部のパーソナルコンピュータにより作成し、接続端子１５および通信インターフェイス回路１６を通じてハードディスク装置２２に転送し、保存することができる。あるいは冒頭でも述べたように、Ｗｅｂ上のプレイリストを作成するサービスを利用して得ることもできる。
【００７２】
〔８〕  プレイリストの作成方法の例
図６Ａに示すプレイリストは、例えば、パーソナルコンピュータを使用して以下のようにして形成することができる。なお、以下のプレイリストは、図１〜図４に対応する場合である。
【００７３】
すなわち、パーソナルコンピュータにおいて、プレイリスト形成用のソフトウェアを実行すると、パーソナルコンピュータのディスプレイには、例えば図７Ａに示すような入力画面が表示される。この入力画面には、自動車で走行する場合の出発地（出発地点ＰS）、複数のマーク点（マーク地点Ｐ3など）、目的地（到着地点ＰE）の入力欄と、出発地点ＰSおよびマーク地点で再生したい楽曲の曲名の入力欄とが表示される。そこで、これら入力欄のうち、必要なものに希望する楽曲の曲名を入力し、［検索］の実行を指示する。
【００７４】
すると、パーソナルコンピュータにおいて、出発地点ＰSから地点Ｐ1〜Ｐ5を経由して到着地点ＰEまでの距離および標準的な所要時間が求められ、その所要時間から再生する楽曲Ｂ、Ｃ、Ｅ、Ｆが選択される。
【００７５】
そして、この選択結果が、図７Ｂに示すようにディスプレイに表示される。このとき、地点ＰSおよびマーク地点Ｐ3には、図７Ａの入力画面で入力した楽曲Ａ、Ｄの曲名が表示される。また、走行中に再生される他の楽曲Ｂ、Ｃ、Ｅ、Ｆの曲名も表示される。
【００７６】
そして、図７Ｂの再生内容でよければ、［ＯＫ］の実行を指示する。すると、このときの表示内容にしたがったプレイリストが作成される。
【００７７】
また、図７Ｂの再生内容に対して［修正］の実行を指示すると、例えば楽曲を変更できる状態となる。あるいは、［再度］の実行を指示すると、楽曲の組み合わせが再作成され、その結果が図７Ｂと同様に表示される。そして、これらの結果でよければ、［ＯＫ］の実行を指示する。すると、この図７Ｂの内容を示すプレイリストが作成される。
【００７８】
したがって、この作成されたプレイリストを、パーソナルコンピュータから接続端子１５を通じてハードディスク装置２２に保存すれば、上述のように自動車の走行時、そのプレイリストにしたがって楽曲が再生される。
【００７９】
〔９〕  まとめ
上述のカーオーディオ装置によれば、道路状況などにより図８Ａに示すオリジナルプレイリストでは、楽曲を適切に再生できない場合でも、出発地点ＰSから到着地点ＰEまで、適切に楽曲を再生することができ、例えばマーク地点Ｐ3を通過するとき、楽曲Ｄの再生を開始することができる。また、到着地点ＰEに着いたときには、楽曲Ｆをちょうど終了させることができる。
【００８０】
〔１０〕  その他
上述においては、カーオーディオ装置の場合であるが、例えば、ポータブルプレーヤを携帯してドラマや音楽などを視聴しながら通勤するような場合にも、この発明を適用できる。この場合には、例えば、
[1] 家から乗車駅までの徒歩期間は、その歩くテンポにあった楽曲を再生する。  
[2] 乗車駅で電車を待っている期間は、ゆっくりしたテンポの楽曲を再生する。  
[3] 電車に乗車したら、ドラマを再生する。  
[4] 他の電車への乗り換え期間中は、何も再生しない。  
[5] 乗り換え後は、[3]のドラマの続きを再生する。  
[6] 降車駅に近づいたら楽曲の再生に切り換える。  
[7] 降車駅から勤務先までの徒歩期間は、その歩くテンポにあった楽曲を再生する。  
[8] 勤務先に着いたら、再生を停止する。  
のようにすることもできる。
【００８１】
すなわち、上記[1]〜[8]のような場合には、各区間の所要時間はそれぞれほぼ一定なので、時間を基準にして楽曲や映像などのコンテンツを選択してプレイリストを作成することができ、[2]〜[7]の処理を開始する時点をマーク地点に置き換えればよい。
【００８２】
また、図７Ａにおいて、ＬＣＤパネル３６に地図を表示し、その地図上の地点をポインティングデバイスにより指定して出発地点ＰS、マーク地点、到着地点ＰEやルートを入力することもできる。
【００８３】
〔略語の一覧〕
ＢＧＭ：Back Ground Music
ＣＤ  ：Compact Disc
ＣＰＵ：Central Processing Unit
Ｄ／Ａ：Digital to Analog
ＧＰＳ：Global Positioning System
ＬＣＤ：Liquid Crystal Display
ＲＡＭ：Random Access Memory
ＲＯＭ：Read Only Memory
Ｗｅｂ：World Wide Web
【図面の簡単な説明】
【００８４】
【図１】この発明を説明するための線図である。
【図２】この発明を説明するための線図である。
【図３】この発明を説明するための線図である。
【図４】この発明を説明するための線図である。
【図５】この発明の一形態を示す系統図である。
【図６】この発明を説明するためのデータテーブルの例を示す図である。
【図７】この発明を説明するための入力画面の例を示す図である。
【図８】この発明を説明するための線図である。
【符号の説明】
【００８５】
１０…マイクロコンピュータ（制御回路）、２０…オーディオ再生部、３０…カーナビゲーション部
【図１】
2008310861.tif 000003
【図２】
2008310861.tif 000004
【図３】
2008310861.tif 000005
【図４】
2008310861.tif 000006
【図５】
2008310861.tif 000007
【図６】
2008310861.tif 000008
【図７】
2008310861.tif 000009
【図８】
2008310861.tif 000010